(57)【要約】  エレベータドア装置は、エレベータ出入口の上部に設けられ、エレベータドアの左右移動を案内するハンガーレールを備えるハンガーケース、一端部にはハンガーレール上で転動するローラーが回転可能に連結され、他端部にはエレベータドアが結合されるハンガープレート、及びハンガープレートがエレベータ出入口の幅方向に左右移動できるよう駆動力を伝達する駆動滑車が回転可能に連結され、第１締結手段によりハンガーケースに結合される滑車ブラケットを含み、前記滑車ブラケットは第２締結手段によりローラーの回転軸方向と平行な方向（Ｄ）に対向するよう前記ハンガーレールと結合される。これに伴い、本発明に係るエレベータドア装置は、ハンガーケースの撓みを防止することができ、エレベータドアが所定の行程区間を外れてハンガーレールから離脱するのを防止することができる。
2011525466.tif 000002
【特許請求の範囲】
【請求項１】
エレベータ出入口の上部に設けられ、エレベータドアの左右移動を案内するハンガーレールを備えるハンガーケースと、
一端部には前記ハンガーレール上で転動するローラーが回転可能に連結され、他端部には前記エレベータドアが結合されるハンガープレートと、
前記ハンガープレートが前記エレベータ出入口の幅方向に左右移動できるように駆動力を伝達する駆動滑車が回転可能に連結され、第１締結手段により前記ハンガーケースに結合される滑車ブラケットと
を含み、
前記滑車ブラケットは、第２締結手段により前記ローラーの回転軸方向と平行な方向に対向するよう前記ハンガーレールと結合されることを特徴とするエレベータドア装置。
【請求項２】
前記滑車ブラケットは、前記ローラーの回転軸方向と平行な方向に水平に形成され、前記第１締結手段により前記ハンガーケースと結合される水平プレート、及び前記水平プレートから垂直に延長され、前記第２締結手段により前記ハンガーレールと結合される垂直プレートを含むことを特徴とする請求項１に記載のエレベータドア装置。
【請求項３】
前記垂直プレートは、前記駆動滑車の中心部から前記エレベータドアの閉鎖方向へ凸状に突出した形状を有する第１側面、及び前記第１側面に対応するように前記駆動滑車の中心部方向へ凹んだ凹形状を有する第２側面を含むことを特徴とする請求項２に記載のエレベータドア装置。
【請求項４】
前記ハンガーケースは、前記水平プレートに対応されるよう前記ローラーの回転軸方向と平行な方向に水平に形成される水平部、及び前記垂直プレートと向き合うよう前記水平部から垂直に延長され、該末端部で前記ハンガーレールと連結される垂直部を含むことを特徴とする請求項２に記載のエレベータドア装置。
【請求項５】
前記滑車ブラケットと前記ハンガーレールとの間には、前記滑車ブラケットと前記ハンガーレールとの間の間隔を一定に維持する支持部材がさらに備えられ、前記第２締結手段は前記支持部材を貫通して前記滑車ブラケットと前記ハンガーレールを結合することを特徴とする請求項１に記載のエレベータドア装置。
【請求項６】
前記ハンガープレートの一面は、前記滑車ブラケットと対向する方向に配置され、前記ハンガープレートの他面には前記ローラーが連結され、前記第２締結手段は前記ハンガーレールの幅方向の末端部で前記滑車ブラケットと前記ハンガーレールを結合することを特徴とする請求項１から５のいずれか１項に記載のエレベータドア装置。
【発明の詳細な説明】
【技術分野】
【０００１】
本発明はエレベータドア装置に関し、より詳しくはハンガーケースの撓みを防止し、エレベータドアの離脱を防止することができるエレベータドア装置に関する。
【背景技術】
【０００２】
従来のエレベータドア装置に対し検討してみれば、エレベータ出入口の上部には、エレベータドアを駆動させるための駆動装置などが取り付けられたハンガーケースが設けられる。前記ハンガーケースには、駆動装置以外にもエレベータドアの左右移動を案内するためのハンガーレールが備えられる。
【０００３】
前記ハンガーレール上には、ハンガーレールに沿って転動しながら、エレベータ出入口の幅方向に左右移動するローラーが備えられる。このようなローラーは、エレベータドアと結合されるハンガープレートに連結される。上記のような構造により、エレベータドアは、ハンガーケースに設けられたハンガーレールに、左右移動可能にハンガープレートを介して連結される。
【発明の概要】
【発明が解決しようとする課題】
【０００４】
しかし、従来のエレベータドア装置は、エレベータドアの荷重が前記ローラーを介してハンガーレールに集中される構造を有しているので、ハンガーレールが連結されたハンガーケースには、ローラーの回転軸方向と平行な方向に撓みや垂れが生じ得る。このような垂れや撓みが生じると、エレベータドアが本来の機能を発揮することができないとの問題がある。
【０００５】
さらに、従来のエレベータドア装置は、エレベータドアが、開放方向の移動を制限することができる別途の部材を備えていないので、駆動装置などの異常によりエレベータドアが所定の行程区間を外れても、エレベータドアがハンガーレールからの離脱を防止することができないという問題がある。
【０００６】
したがって、本発明は前記の問題点を解決するために案出されたものであって、本発明の一の課題は、エレベータドアの荷重がハンガーケースに集中されることを防止し、エレベータドアの荷重によりハンガーケースが撓むか垂れるのを防止することができるエレベータドア装置を提供することである。
【０００７】
さらに、本発明の他の課題は、エレベータドアが所定の行程区間を外れようとする場合にその移動を制限することができるようにして、駆動装置などに異常が発生しても、エレベータドアがハンガーレールから離脱することのないエレベータドア装置を提供することである。
【課題を解決するための手段】
【０００８】
上記の本発明の課題を達成するための本発明の好ましい実施の形態によれば、エレベータドア装置は、エレベータ出入口の上部に設けられ、エレベータドアの左右移動を案内するハンガーレールを備えるハンガーケースと、一端部にはハンガーレール上で転動するローラーが回転可能に連結され、他端部にはエレベータドアが結合されるハンガープレートと、ハンガープレートがエレベータ出入口の幅方向に左右移動できるよう駆動力を伝達する駆動滑車が回転可能に連結され、第１締結手段によりハンガーケースに結合される滑車ブラケットとを含み、滑車ブラケットは、第２締結手段によりローラーの回転軸方向と平行な方向に対向するようハンガーレールと結合される。
【０００９】
このような構成とすることで、本発明に係るエレベータドア装置は、エレベータドアの荷重を滑車ブラケットとハンガーケースに分散させてハンガーケースの撓みを防止することができる。
【００１０】
一方、滑車ブラケットは、ローラーの回転軸方向と平行な方向に水平に形成され、第１締結手段によりハンガーケースと結合される水平プレート、及び水平プレートから垂直に延長され、第２締結手段によりハンガーレールと結合される垂直プレートを含んで構成することができる。
【００１１】
このように滑車ブラケットが構成されるに伴い、エレベータドアの荷重によりハンガーケースの垂直部に垂れなどが生じても、滑車ブラケットへの垂れなどによる影響をより少なくすることができる。さらに、前記のような構造は、エレベータドアの荷重の分散にもより効果的である。
【００１２】
さらに、前記のような滑車ブラケットに対応されるよう、ハンガーケースは、ローラーの回転軸方向と平行な方向に水平に形成される水平部、及び垂直プレートと向き合うよう水平部から垂直に延長され、末端部でハンガーレールと連結される垂直部を含んで構成することができる。
【００１３】
これ以外にも、滑車ブラケットとハンガーレールとの間には支持部材が更に備えられ、支支持部材により滑車ブラケットとハンガーレールとの間の間隔が一定に維持される。このとき、第２締結手段は、支支持部材を貫通して滑車ブラケットとハンガーレールを結合するように構成することができる。
【００１４】
一方、ハンガープレートの一面は、滑車ブラケットと対向する方向に配置することができ、ハンガープレートの他面にはローラーを連結することができ、第２締結手段はハンガーレールの幅方向の末端部で滑車ブラケットとハンガーレールを結合することができる。
【００１５】
これに伴い、本発明に係るエレベータドア装置は、エレベータドアが所定の行程区間を外れてもハンガープレートの移動が第２締結手段により阻止され、エレベータドアがハンガーレールから離脱するのを防止することができる。
【００１６】
さらに、本発明に係るエレベータドア装置において、垂直プレートは、駆動滑車の中心部からエレベータドアの閉鎖方向へ凸状に突出した形状を有する第１側面、及び第１側面と対応されるように駆動滑車の中心部方向に凹んだ凹形状を有する第２側面を含んで構成することができる。
【００１７】
これに伴い、本発明に係る垂直プレートは、力を最大に受ける部分を第１側面に形成し、相対的に少ない力を受ける部分を第２側面に形成することにより、滑車ブラケットの剛性を確保しながらも滑車ブラケットの製造に要する材料を節減することができるとの効果がある。
【発明の効果】
【００１８】
本発明に係るエレベータドア装置は、ハンガーレールと滑車ブラケットを結合する第２締結手段を更に備えることにより、エレベータドアの荷重を滑車ブラケットにも分散させることができるので、ハンガーケースの垂れや撓みの発生をより安定に予防することができる。
【００１９】
さらに、本発明に係るエレベータドア装置は、滑車ブラケットが水平プレートと垂直プレートを含んで構成され、前記水平プレートがハンガーケースに結合される構造を有しているので、エレベータドアの荷重によりハンガーケースの垂直部に垂れなどが生じても、滑車ブラケットはその影響をより少なく受けることができるだけでなく、前記のような構造はエレベータドアの荷重の分散にもより効果的である。
【００２０】
併せて、本発明に係るエレベータドア装置は、第２締結手段がハンガーレールの末端部で滑車ブラケットとハンガーレールとの間の空間を横切って滑車ブラケットとハンガーレールを結合しているので、エレベータドアがハンガーレールから離脱するのを防止することができる。
【図面の簡単な説明】
【００２１】
【図１】実施の形態１に係るエレベータドア装置を示す正面図である。
【図２】図１のＡ部分の拡大図である。
【図３】図１の側面図である。
【図４】実施の形態２に係るエレベータドア装置を示す正面図である。
【発明を実施するための形態】
【００２２】
以下、図等を参照しながら本発明の好ましい実施の形態を詳しく説明するが、本発明がこれらの実施の形態に限定されるものではない。参考までに、同一の符号は、実質的に同一の要素を指し、このような規則下において、符号の説明は、他の図に記載された内容を参照して行うこともあり、また、当業者に自明であると判断される内容、又は繰り返される内容は省略する。
【００２３】
実施の形態１．
図１は実施の形態１に係るエレベータドア装置を示している正面図、図２は図１のＡ部分の拡大図、図３は図１の側面図である。
図１〜図３に示されているように、本発明の実施の形態１に係るエレベータドア装置は、ハンガーケース１１０、ハンガープレート１７０、及び滑車ブラケット１２０を含んで構成される。
【００２４】
エレベータ乗場側またはかご側出入口（以下では、２つを含めて「エレベータ出入口」と記載する）の上部にはハンガーケース１１０が設けられる。ハンガーケース１１０には、エレベータ乗場側またはかご側ドア（以下では、２つを含めて「エレベータドア」と記載する）を開閉するための駆動力を提供する駆動装置（図示省略）と、エレベータドア１３０の幅方向の左右移動を案内するハンガーレール１１２が備えられる。
【００２５】
駆動装置は、一般にモーターを含む駆動装置本体、駆動装置本体の駆動力により回転する回転軸、回転軸に固定されて回転軸と連動して回転する駆動滑車１４０、及び駆動滑車１４０に巻き掛けられ駆動滑車１４０の回転により周回運動する無端状の連動ロープ１２９を含んで構成される。連動ロープ１２９の周回運動に伴い前記連動ロープ１２９に連結されたハンガープレート１７０は、エレベータ出入口１５０の幅方向に左右移動することができ、これに伴いハンガープレート１７０に結合されたエレベータドア１３０は、エレベータ出入口１５０を開閉することができる。
【００２６】
前記のように、駆動装置本体により発生した駆動力を、連動ロープ１２９を介してハンガープレート１７０に伝達する駆動滑車１４０は、第１締結手段１２２によりハンガーケース１１０に結合される滑車ブラケット１２０に回転可能に連結される。ここで、第１締結手段にはボルト、ナットのように追加的な構成を別に備えて両構成を結合する手段が一般に含まれ得るが、追加的な構成なく溶接のような方法で両構成を結合する手段も含まれ得る。一方、ハンガーケース１１０と滑車ブラケット１２０の具体的な結合構造は後述する。
【００２７】
ハンガーレール１１２は、エレベータ出入口１５０の幅方向に形成され、ハンガープレート１７０に連結されたローラー１７２の移動を案内する役割を果たす。さらに、ハンガーレール１１２はローラー１７２を介して、エレベータドア１３０が結合されたハンガープレート１７０を支持する役割を果たす。このようなハンガーレールは、ハンガーケースと別に製作されてハンガーケースに結合されることもあるが、ハンガーケースと一体に製作されることもある。本実施の形態では、ハンガーケース１１０と一体に製作されたハンガーレール１１２が例示されている。
【００２８】
一方、ハンガープレート１７０は、ローラー１７２を介してエレベータドア１３０とハンガーレール１１２を連結するだけでなく、駆動装置による駆動力をエレベータドア１３０に伝達する役割を果たす。即ち、駆動装置本体により発生した駆動力は駆動滑車１４０を回転させ、このような駆動滑車１４０の回転は駆動滑車１４０に巻き掛けられた連動ロープ１２９を周回運動させる。このような連動ロープ１２９の周回運動によりハンガープレート１７０は左右に移動することができ、ハンガープレート１７０の左右移動に伴い、ハンガープレート１７０に結合されたエレベータドア１３０はエレベータ出入口１５０を開閉することができる。
【００２９】
さらに、ハンガープレート１７０には、ハンガープレート１７０の左右移動を円滑に、かつハンガープレート１７０を、所定の経路を安定して移動させるため、ハンガーレール１１２上を転動するローラー１７２に連結される。このようなローラー１７２は、ハンガープレート１７０の上側の部位、かつ幅方向の両端間を２等分する中心線の両側に、一対設けられるのが一般的である。
【００３０】
前記のように、エレベータドア１３０の上部はハンガープレート１７０を介してハンガーケース１１０により支持され、エレベータドア１３０の下部はドアシュー（ｄｏｏｒ  ｓｈｏｅ）（図示省略）を介してガイドレール（図示省略）により案内されることで、エレベータドア１３０は安定してエレベータ出入口１５０の幅方向に左右移動することができる。
【００３１】
図２及び図３を参考にしながら、本実施の形態に係るエレベータドア装置においてハンガーケースと滑車ブラケットの結合構造を詳しく説明する。
ハンガーケース１１０は、ローラー１７２の回転軸方向と平行な方向（Ｄ）へ水平に形成される水平部１１６、及び水平部１１６から垂直に延長され、末端部でハンガーレール１１２と連結される垂直部１１８を含んで構成される。滑車ブラケット１２０は、第１締結手段１２２によりハンガーケース１１０に結合される。ここで、ローラー１７２の回転軸方向と平行な方向（Ｄ）とは、図３において矢印で示しているように、エレベータドア装置の側面図を基準に横方向を意味する。
【００３２】
一方、第１締結手段は、滑車ブラケットをハンガーケース１１０の垂直部１１８に結合させてもよいが、ハンガーケース１１０の水平部１１６に結合させるのがより好ましい。その理由を説明すれば、次の通りである。エレベータドア１３０の荷重の大部分は、ハンガーレール１１２上で転動するローラー１７２を介してハンガーレール１１２に伝達される。これに伴い、ハンガーレール１１２と連結されているハンガーケース１１０の垂直部１１８には、前記のようなエレベータドア１３０の荷重が集中される。
【００３３】
このような荷重の集中により、前記垂直部１１８にはローラー１７２の回転軸方向と平行な方向（Ｄ）に垂れや撓みが生じ得る。滑車ブラケットが第１締結手段により垂直部１１８と結合されれば、前記垂直部１１８に垂れまたは撓みが生じる場合、その垂れなどに伴い滑車ブラケットも元の位置から離脱され得る。
【００３４】
したがって、第１締結手段１２２は、前記のような垂れ、撓みによる影響をより少なく受けることができるハンガーケース１１０の水平部１１６に滑車ブラケット１２０を結合させるのがより好ましい。さらに、ハンガーケース１１０の水平部１１６に滑車ブラケット１２０を結合させることは、後述するように、滑車ブラケット１２０が水平プレート１２６と垂直プレート１２８で構成される場合にエレベータドア１３０の荷重を分散するのにより効果的である。
【００３５】
前記のように、滑車ブラケット１２０をハンガーケース１１０の水平部１１６に結合させるため、本実施の形態に係る滑車ブラケット１２０は、水平プレート１２６と垂直プレート１２８を含んで構成することができる。
【００３６】
水平プレート１２６は、ハンガーケース１１０の水平部１１６に対応されるよう、ローラー１７２の回転軸方向と平行な方向（Ｄ）へ水平に形成し、垂直プレート１２８は、ハンガーケース１１０の垂直部１１８と向き合うよう水平プレート１２６から垂直に延長させて形成することができる。滑車ブラケット１２０がこのような構造を有することで、第１締結手段１２２により滑車ブラケット１２０の水平プレート１２６をハンガーケース１１０の水平部１１６に結合させることができる。
【００３７】
一方、エレベータドア１３０の荷重によりハンガーケース１１０に垂れや撓みが生じるのを抑制することができるよう、本実施の形態に係るエレベータドア装置は、別に備えられた第２締結手段１２４を介し滑車ブラケット１２０をハンガーレール１１２に結合させることができる。即ち、図３に示されているように、滑車ブラケット１２０の水平プレート１２６とハンガーケース１１０の水平部１１６は第１締結手段１２２により互いに結合することができ、滑車ブラケット１２０の垂直プレート１２８とハンガーレール１１２は第２締結手段１２４により互いに結合することができる。このような第２締結手段１２４により、滑車ブラケット１２０とハンガーレール１１２は、ローラー１７２の回転軸方向と平行な方向（Ｄ）へ互いに向き合うように結合することができる。
【００３８】
締結手段には、ボルト、ナットのような追加的な構成を介し両構成を結合する手段が一般に含まれるが、追加的な構成なくとも溶接のような方法で両構成を結合する手段も含まれる。但し、通常、垂直プレート１２８とハンガーレール１１２との間には、一定の間隔が維持されているので、本実施の形態に係る結合構造では第２締結手段１２４としてボルトのような一般的な締結手段が用いてもよい。
【００３９】
本実施の形態に係るエレベータドア装置は、前記のような結合構造を有することにより、エレベータドア１３０の荷重を、ハンガーレール１１２だけでなく滑車ブラケット１２０にも分散させることができるので、ハンガーケース１１０の垂れや撓みの発生をより安定して防止することができる。
【００４０】
一方、前記で説明したように、エレベータドア１３０は、通常、ハンガープレート１７０を介しハンガーレール１１２に沿って左右移動する。即ち、ハンガープレート１７０の一端部には、ハンガーレール１１２上で転動するローラー１７２が回転可能に連結され、ハンガープレート１７０の他端部には、エレベータドア１３０が結合されることで、ローラー１７２がハンガーレール１１２上で転動すれば、エレベータドア１３０は、ハンガープレート１７０とともにエレベータ出入口１５０の幅方向に左右移動することができる。
【００４１】
このようなハンガープレートの左右移動と関連し従来のエレベータドア装置を検討してみれば、ハンガープレートの行程区間の間にハンガープレートの移動を制限することができる構成が一般に備えられていない。これに伴い、駆動装置の異常などでハンガープレートがエレベータドアの開放方向（Ｐ）（図１に示された矢印を参照）へ必要以上に移動する場合、エレベータドアがハンガーレールから離脱することがある。
【００４２】
しかし、本実施の形態に係るエレベータドア装置は、第２締結手段１２４がハンガーレール１１２の幅方向の一端部、即ち、エレベータドア１３０の開放方向（Ｐ）の末端部で滑車ブラケット１２０とハンガーレール１１２を結合するように構成されるので、エレベータドア１３０が所定の行程区間を外れてハンガーレール１１２から離脱することを防止することができる。
【００４３】
詳細には、図２、３に示されているように、ハンガープレート１７０の一面は滑車ブラケット１２０と対向する方向に配置することができ、ハンガープレート１７０の他面にはローラー１７２を連結できる。このような構造とすることで、ハンガープレート１７０は、その一面が滑車ブラケット１２０と対向し、その他面がハンガーレール１１２と対向するように配置することができる。
【００４４】
これと共に、本実施の形態において、第２締結手段１２４は、図２、３に示されているように、ハンガーレール１１２の末端部（即ち、エレベータドア１３０の開放方向（Ｐ）の末端部）で滑車ブラケット１２０とハンガーレール１１２との間の空間を横切って滑車ブラケット１２０とハンガーレール１１２を結合しているので、本実施の形態に係るエレベータドア装置は、駆動装置の異常などによりエレベータドア１３０が所定の行程区間を外れようとしても、ハンガーレール１１２の末端部でハンガープレート１７０のさらなる移動を強制的に規制することができる。
【００４５】
結局、本実施の形態に係るエレベータドア装置では、第２締結手段１２４によって、エレベータドア１３０が所定の行程区間を外れてハンガーレール１１２から離脱するのを防止することができるので、エレベータドア１３０の安定性がより確実に保たれる。
【００４６】
一方、滑車ブラケット１２０とハンガーレール１１２との間には、図３に示されているように、支持部材１６０がさらに備えられている。このような支持部材１６０は、滑車ブラケット１２０とハンガーレール１１２との間の間隔を一定に維持することができる。このとき、第２締結手段は支持部材１６０を貫通して滑車ブラケット１２０とハンガーレール１１２を結合するように構成することができる。
【００４７】
前記で検討してみたように、本実施の形態に係るエレベータドア装置は、ハンガーケース１１０と滑車ブラケット１２０を結合する第１締結手段１２２の他に、ハンガーレール１１２と滑車ブラケット１２０を結合する第２締結手段１２４を更に備えるに伴い、エレベータドア１３０の荷重を、ハンガーレール１１２だけでなく滑車ブラケット１２０にも分散させることができるので、ハンガーケース１１０の垂れや撓みの発生をより安定に予防することができる。
【００４８】
さらに、本実施の形態に係るエレベータドア装置は、滑車ブラケット１２０が、ハンガーケース１１０の水平部１１６に結合される水平プレート１２６とハンガーレール１１２に結合される垂直プレート１２８を含んで構成されるので、エレベータドア１３０の荷重によりハンガーケース１１０の垂直部１１８に垂れなどが生じてもその影響をより少なく受けることができる。さらに、このような構造は、エレベータドア１３０の荷重を分散するのにより効果的である。
【００４９】
これ以外にも、第２締結手段１２４がハンガーレール１１２の末端部で滑車ブラケット１２０とハンガーレール１１２との間の空間を横切って滑車ブラケット１２０とハンガーレール１１２を結合しているため、本実施の形態に係るエレベータドア装置は、エレベータドア１３０が所定の行程区間を外れてハンガーレール１１２から離脱するのを防止することができるので、エレベータドア１３０の安定性をより確実に保つことができる。
【００５０】
実施の形態２．
図４は、実施の形態２に係るエレベータドア装置を示す正面図である。参考までに、前述の構成と同一はまた相当する構成に対しては同一であるか相当する図面の符号を与え、それに対する詳細な説明は省略する。
【００５１】
本実施の形態に係るエレベータドア装置と、実施の形態１に係るエレベータドア装置との間の主な相違点は、滑車ブラケットの垂直プレートの構成にあるので、以下では図４を参照しながら本実施の形態に係る滑車ブラケット２２０を中心に説明する。
【００５２】
本実施の形態に係る滑車ブラケット２２０は、実施の形態１の滑車ブラケット１２０と同様、ローラーの回転軸方向と平行な方向（Ｄ）に水平に形成され、第１締結手段１２２によりハンガーケース１１０と結合される水平プレート、及び水平プレートから垂直に延長され第２締結手段１２４によりハンガーレール１１２と結合される垂直プレート２２８を含んで構成されている。
【００５３】
しかし、実施の形態１とは異なり、垂直プレート２２８は第１側面２２８ａと第２側面２２８ｂを含んで構成されている。第１側面２２８ａは、図４に示されているように、駆動滑車１４０の中心部からエレベータドア１３０の閉鎖方向（Ｃ）へ突出した凸形状を有し、第２側面２２８ｂは、第１側面２２８ａに対応するように駆動滑車１４０の中心部の方向に凹んだ凹形状を有している。
【００５４】
本実施の形態に係る垂直プレート２２８は、前記のような構造を有することにより、より少量の材料だけでもより安定に駆動滑車１４０を支持することができる。詳細には、駆動滑車１４０は、連動ロープ１２９によって、エレベータドア１３０の閉鎖方向（Ｃ）に力を受ける。このような力は、回転軸を介し滑車ブラケット２２０の垂直プレート２２８へ伝達される。よって、垂直プレート２２８には、回転軸の中心部からエレベータドア１３０の閉鎖方向（Ｃ）へ最も強い力が働く。
【００５５】
これに伴い、前記のような力を適宜分散させて垂直プレート２２８の変形などを防止し、駆動滑車１４０を安定に支持するためには、駆動滑車１４０の中心部からエレベータドア１３０の閉鎖方向（Ｃ）へより幅広く垂直プレート２２８を形成するのが好ましい。但し、漠然と前記のような部分を幅広く形成することは、垂直プレートの製作に要する材料を増加させて該製造コストを増加させ得るとの問題がある。
【００５６】
しかし、本実施の形態に係る垂直プレート２２８は、力を最大に受ける部分を第１側面２２８ａに形成し、相対的に少ない力を受ける部分を第２側面２２８ｂに形成することにより、本実施の形態に係るエレベータドア装置は、滑車ブラケットの剛性を確保しながらも滑車ブラケットの製造に要する材料の量を削減することができるという効果が得られる。
【００５７】
上述したように、本発明の好ましい実施の形態を説明したが、当該技術分野の熟練した当業者であれば、下記の請求範囲に記載された本発明の思想及び領域から外れない範囲内で、本発明を多様に修正及び変更させ得ることを理解できるはずである。したがって、本発明の思想は下記に記載された特許請求の範囲によってのみ把握されなければならず、等価的な変形例の全てが本発明のカテゴリーに属すると言えるはずである。
【産業上の利用可能性】
【００５８】
本発明は、ハンガーケースの撓みを防止し、エレベータドアの離脱を防止することができるエレベータドア装置に関するものであって、産業上の利用可能性がある。
【図１】
2011525466.tif 000003
【図２】
2011525466.tif 000004
【図３】
2011525466.tif 000005
【図４】
2011525466.tif 000006
【国際調査報告】
2011525466.tif 000007
2011525466.tif 000008
2011525466.tif 000009
2011525466.tif 000010